(57)【要約】【課題】取り付け、取り外し、洗浄が容易なゴミ袋の保持具の提供。【解決手段】固定対象１００に対して固定するための固定部１０と固定部１０に着脱自在に取り付けられるゴミ袋の支持部５０を有している。固定部１０は、吸盤部１１、カバー部２０および差し込みピン３０からなり、ゴミ袋の支持部５０は、固定部１０に着脱自在に嵌め込むための環状部５１、接続部５５、ゴミ袋を支持するための枠体部６０を有している。【選択図】図１
2017206386.tif 000002
【特許請求の範囲】
【請求項１】
固定対象に対して固定するための固定部（１０）と、前記固定部（１０）に着脱自在に取り付けられるゴミ袋の支持部（５０）を有しているゴミ袋の保持具（１）であり、
前記固定部（１０）が、吸盤部（１１）と、前記吸盤部（１１）に被せるためのカバー部（２０）と、前記吸盤部（１１）と前記カバー部（２０）を着脱自在にするための差し込みピン（３０）を有しているものであり、
前記吸盤部（１１）が、吸着面（１３）と厚さ方向反対側の非吸着面（１４）を有している吸着部（１２）と、前記非吸着面（１４）の中心部を含む部分から垂設された立体部（１５）を有しており、前記立体部（１５）が、高さ方向と直交する方向に形成された第１貫通孔（１８）を有しているものであり、
前記カバー部（２０）が、環状平面部（２１）と、前記環状平面部（２１）の中心穴と開口部が一致するように形成されたカップ部（２２）を有しており、前記カップ部（２２）が、高さ方向と直交する方向に同軸上になるように形成された第２ａ貫通孔（２５）と第２ｂ貫通孔（２６）を有しているものであり、
前記カバー部（２０）の環状平面部（２１）とカップ部（２２）が、前記吸盤部（１１）の前記立体部（１５）に対して、前記カップ部（２２）の第２ａ貫通孔（２５）、前記立体部（１５）の第１貫通孔（１８）の両端側開口部、および前記カップ部（２２）の第２ｂ貫通孔（２６）が同軸上になるように被せることができるものであり、
前記差し込みピン（３０）が、軸部（３１）といずれか一端側のヘッド部（３２）を有しており、前記軸部（３１）が、前記カップ部（２２）の第２ａ貫通孔（２５）、前記立体部（１５）の第１貫通孔（１８）、および前記カップ部（２２）の第２ｂ貫通孔（２６）に貫通させて差し込むことができるもので、前記ヘッド部（３２）が、前記第２ａ貫通孔（２５）および前記第２ｂ貫通孔（２６）の内径よりも大きなものであり、
前記ゴミ袋の支持部（５０）が、前記固定部（１０）に着脱自在に嵌め込むための環状部（５１）と、ゴミ袋を支持するための枠体部（６０）と、前記環状部（５１）と前記枠体部（６０）を連結する接続部（５５）を有しているものである、ゴミ袋の保持具（１）。
【請求項２】
前記固定部（１０）の吸盤部（１１）が、前記非吸着面（１４）の前記立体部（１５）がない周縁部において突起（１９）を有しており、
前記固定部（１０）のカバー部（２０）が、前記環状平面部（２１）の一部に切り欠き部（２１ａ）を有しており、
前記吸盤部（１１）と前記カバー部（２０）が、前記吸盤部（１１）に前記カバー部（２０）が被せられ、前記差し込みピン（３０）が前記第２ａ貫通孔（２５）、前記第１貫通孔（１８）および前記第２ｂ貫通孔（２６）に差し込まれて一体化されたとき、前記切り欠き部（２１ａ）がある位置に前記突起（１９）が露出されるようになっている、請求項１記載のゴミ袋の保持具。
【請求項３】
前記固定部のカバー部（２０）のカップ部（２２）が、周壁部（２４）の外周面に半径方向外側に突き出された凸部（２８）を有しており、
前記ゴミ袋の支持部（５０）の環状部（５１）が、上端環状面部（５２ａ）、周壁部（５３）、下端環状面部（５３ｂ）を有しており、周壁部（５３）の内周面（５３ａ）に前記凸部（２８）を嵌め込むことができる凹部を有しており、
前記カバー部（２０）は凸部（２８）が前記環状部（５１）の凹部に嵌め込まれた状態から前記環状部（５１）の凹部のない周壁部（５３）の内周面（５３ａ）、環状部（５１）の上端環状面部（５２ａ）、および内周面（５３ａ）と上端環状面部（５２ａ）の境界部の少なくともいずれかに当接された状態へと周方向に回転できるものであり、
前記カバー部（２０）の凸部（２８）が前記環状部（５１）の凹部のない周壁部（５３）の内周面（５３ａ）、環状部（５１）の上端環状面部（５２ａ）、および内周面（５３ａ）と上端環状面部（５２ａ）の境界部の少なくともいずれかに当接されているときは、前記カバー部（２０）の凸部（２８）が前記環状部（５１）の凹部のない周壁部（５３）の内周面（５３ａ）、環状部（５１）の上端環状面部（５２ａ）、および内周面（５３ａ）と上端環状面部（５２ａ）の境界部の少なくともいずれかに圧接している、請求項１または２記載のゴミ袋の保持具。
【請求項４】
前記カバー部（２０）が、前記差し込みピン（３０）のヘッド部（３２）を嵌め込むことができるヘッド部用凹部（２７）と、前記ヘッド部用凹部（２７）内に形成された第２ａ貫通孔（２５）を有しているものである、請求項１〜３のいずれか１項記載のゴミ袋の保持具。
【請求項５】
前記ゴミ袋の支持部（５０）の枠体部（６０）が、
半楕円形の第１枠体部（６１）の開口部と半楕円形の第２枠体部（６２）の開口部が二箇所の連結部（６３，６４）で連結されることで、全体の平面形状が楕円形になるように組み合わされたものであり、
前記第１枠体部（６１）が前記接続部（５５）と接続されており、
前記第１枠体部（６１）と前記第２枠体部（６２）が、
前記第１枠体部（６１）の第１端部（６１ａ）と前記第２枠体部（６２）の第１端部（６２ａ）が幅方向に重ね合わされた第１連結部（６３）と、前記第１枠体部（６１）の第２端部（６１ｂ）と前記第２枠体部（６２）の第２端部（６２ｂ）が幅方向に重ね合わされた第２連結部（６４）において回転自在に連結されていることで、前記第２枠体部（６２）が前記第１枠体部（６１）の内側に折り畳めるようになっているものであり、
前記第１連結部（６３）と前記第２連結部（６４）の前記第１枠体部（６１）の一面側には、前記第１枠体部（６１）と前記第２枠体部（６２）が合わされて楕円形の状態になるように展開されているとき、前記第２枠体部（６２）が折れ曲がることが阻止できる第１ストッパ部（６５）と第２ストッパ部（６６）が形成されている、請求項１〜４のいずれか１項記載のゴミ袋の保持具。
【請求項６】
さらに前記第２枠体部（６２）の楕円弧の周方向中間位置には、外側に突き出された突起部（６７）を有しており、
前記突起部（６７）が、前記第２枠体部（６２）が前記第１枠体部（６１）側に折り畳まれているとき、前記第１枠体部（６１）に当接されることでそれ以上回転できないようにするためのものである、請求項５記載のゴミ袋の保持具。
【請求項７】
前記ゴミ袋の支持部（５０）が、前記環状部（５１）、前記接続部（５５）および前記枠体部（６０）が同一面上にあるものであるか、または前記接続部（５５）が折れ曲がっており、前記環状部（５１）と前記枠体部（６０）が互いに異なる面上にあるものである、請求項１〜６のいずれか１項記載のゴミ袋の保持具。
【発明の詳細な説明】
【技術分野】
【０００１】
本発明は、台所のシンクなどに取り付けて使用するためのゴミ袋の保持具に関する。
【背景技術】
【０００２】
台所用の生ゴミ用の容器としては、従来から、いわゆる三角コーナーと称されているプラスチック製や金属製のものの中にゴミ袋を取り付けたものが汎用されている。しかし、このような三角コーナーは、それ自体が汚れたり、ぬめりを生じたりすることから、見た目や衛生上の観点から、好ましいものではない。
【０００３】
三角コーナーに代わるものとして、特許文献１には、袋支持枠とくびれ部を有する袋を組み合わせたゴミ、物品等の投入容器が開示されており、同様の技術が特許文献２にも開示されている。
【０００４】
これらの投入容器は、袋支持枠を流し台上に固定して使用し、ゴミを投入した袋がシンク内に位置するように取り付け、前記袋のみを取り外して廃棄するものであるため、三角コーナーを用いた場合の外観上や衛生上の問題が解決されている点で優れている。
【０００５】
このような投入容器の改良発明も出願されており（特許文献３、４）、特許文献３の特許発明のゴミ容器と特許文献４の特許発明のゴミ袋の保持具を組み合わせた製品が、「三角コーナーいらず（登録商標）」の商品名で市販されている。
【先行技術文献】
【特許文献】
【０００６】
【特許文献１】特公平５−２０３２１号公報
【特許文献２】特開平９−２６０２号公報
【特許文献３】特許第４８４２１０１号公報
【特許文献４】特許第５３１３０５６号公報
【発明の概要】
【発明が解決しようとする課題】
【０００７】
本発明は、シンク周りの状態に応じて適切な取り付け箇所を選択することができ、どのような状態で取り付けた場合であってもゴミ袋とシンク底面が接触し難く、さらに取り付けと取り外しが容易であり、かつ洗浄が容易であるゴミ袋の保持具を提供することを課題とする。
【課題を解決するための手段】
【０００８】
本発明は、固定対象に対して固定するための固定部と、前記固定部に着脱自在に取り付けられるゴミ袋の支持部を有しているゴミ袋の保持具であり、
前記固定部が、吸盤部と、前記吸盤部に被せるためのカバー部と、前記吸盤部と前記カバー部を着脱自在にするための差し込みピンを有しているものであり、
前記吸盤部が、吸着面と厚さ方向反対側の非吸着面を有している吸着部と、前記非吸着面の中心部を含む部分から垂設された立体部を有しており、前記立体部が、高さ方向と直交する方向に形成された第１貫通孔を有しているものであり、
前記カバー部が、環状平面部と、前記環状平面部の中心穴と開口部が一致するように形成されたカップ部を有しており、前記カップ部が、高さ方向と直交する方向に同軸上になるように形成された第２ａ貫通孔と第２ｂ貫通孔を有しているものであり、
前記カバー部の環状平面部とカップ部が、前記吸盤部の前記立体部に対して、前記カップ部の第２ａ貫通孔、前記立体部の第１貫通孔の両端側開口部、および前記カップ部の第２ｂ貫通孔が同軸上になるように被せることができるものであり、
前記差し込みピンが、軸部といずれか一端側のヘッド部を有しており、前記軸部が、前記カップ部の第２ａ貫通孔、前記立体部の第１貫通孔、および前記カップ部の第２ｂ貫通孔に貫通させて差し込むことができるもので、前記ヘッド部が、前記第２ａ貫通孔および前記第２ｂ貫通孔の内径よりも大きなものであり、
前記ゴミ袋の支持部が、前記固定部に着脱自在に嵌め込むための環状部と、ゴミ袋を支持するための枠体部と、前記環状部と前記枠体部を連結する接続部を有しているものである、ゴミ袋の保持具を提供する。
【発明の効果】
【０００９】
本発明のゴミ袋の保持具は、先行技術である特許文献４（特許第５３１３０５６号公報）の発明の効果をそのまま有した上で、さらに取り付け易さと取り外し易さが改善され、取り外した後の洗浄も容易になったため、衛生上の観点からも優れている。
【図面の簡単な説明】
【００１０】
【図１】本発明のゴミ袋の保持具を台所に取り付けた状態を示す斜視図。
【図２】図１のゴミ袋の保持具で使用する固定部の分解斜視図。
【図３】図２の固定部中のカバー部の別角度からの斜視図。
【図４】図２の固定部の組み立て図。
【図５】（ａ）は、図１のゴミ袋の保持具で使用するゴミ袋の支持部の第１面側からの平面図、（ｂ）は、（ａ）の状態から枠体部を折りたたんだ状態の平面図。
【図６】（ａ）は、図５の反対面である第２面側からの平面図、（ｂ）は、（ａ）の状態から枠体部を折りたたんだ状態の平面図。
【図７】ゴミ袋の支持部の一側面側からの部分側面図。
【図８】図５（ａ）のゴミ袋の支持部の部分平面図。
【図９】図１とは異なる接続部を有するゴミ袋の支持部を使用した別実施形態のゴミ袋の保持具を台所のシンク周りに取り付けた状態を示す一側面図。
【図１０】固定部にゴミ袋の支持部を取り付けて固定したり、取り外したりする方法を説明するための平面図であり、（ａ）は固定前、（ｂ）は固定後の状態を示している。
【図１１】別形態の第２枠体部の端部の部分斜視図。
【図１２】図１１の第２枠体部が第１枠体部と接続された状態の部分斜視図。
【発明を実施するための形態】
【００１１】
＜ゴミ袋の保持具＞
図１に示すゴミ袋の保持具１は、固定対象に対して固定するための固定部１０と、固定部１０に着脱自在に取り付けられるゴミ袋の支持部５０を有している。使用時には、固定部１０は固定対象１００に固定され、ゴミ袋の支持部５０はシンク側（シンク底面１０１の上）に突き出された状態になる。
【００１２】
固定部１０を固定する固定対象は、台所のキッチンシンク周りの平面部（好ましくは平滑面部）であり、図１に示す実施形態における固定対象は水平面であり、さらに前記水平面に対して垂直面または傾斜面も固定対象にすることができる。図１の実施形態では、固定部１０が水平面１００に対して取り付けられている。
【００１３】
固定対象となる水平面、垂直面、傾斜面などは台所により異なるが、水平面は、一般にはワークトップ、カウンター、調理台などと呼ばれている部分であり、垂直面や傾斜面は、前記水平面に対して垂直な面や傾斜した面である。
【００１４】
台所によってはシンク周りに微細な模様加工（しぼ加工など）がされ、吸盤を使用できない場合があるが、そのような場合には、一面が粘着面で、反対面が平面（平滑面）である平板状の取り付け補助材を使用することもできる。
【００１５】
本発明のゴミ袋の保持具には、ゴミ袋の支持部５０に取り付けるゴミ袋は含まれないが、本発明のゴミ袋の保持具１とゴミ袋（ゴミ容器）を組み合わせて使用するときは、特許第４８４２１０１号公報に記載のゴミ容器が好ましい。
【００１６】
（固定部１０）
図２に示す固定部１０は、固定対象１００に固着させるための吸盤部１１と、吸盤部１１に被せるためのカバー部２０と、吸盤部１１とカバー部２０を着脱自在にするための差し込みピン３０を有している。
【００１７】
吸盤部１１は、公知のゴム製（例えば、塩化ビニルゴム）の吸盤を使用することができる。カバー部２０と差し込みピン３０は、ポリプロピレンなどの合成樹脂からなるものを使用することができる。
【００１８】
固定部１０の吸盤部１１、カバー部２０、差し込みピン３０は、それぞれの全体または一部が着色されていてもよい。固定部１０の吸盤部１１、カバー部２０、差し込みピン３０には、カビなどが繁殖することを防止するため、必要に応じて抗菌剤が配合されていてもよい。
【００１９】
図２に示す吸盤部１１は、吸着面１３と厚さ方向反対側の非吸着面１４を有している吸着部１２と、非吸着面１４の中心部を含む部分から垂設された立体部１５を有している。
【００２０】
立体部１５は、天面１６が曲面であり、この天面１６および残りの四つの側面（平面）１７ａ〜１７ｄからなるものである。側面１７ｂから側面１７ｄまでの間には、立体部１５の高さ方向と直交する方向に第１貫通孔１８が形成されている。
【００２１】
立体部１５の形状は、第１貫通孔１８を形成できるものであれば特に制限されるものではなく、円柱、円柱の周面の一部が平面になっているもの、角柱、角柱の一部面が曲面になっているもの（図２に示すものが含まれる）などにすることができる。
【００２２】
吸着部１２の非吸着面１４の立体部１５がない周縁部は、突起１９を有している。使用時には、図１に示すように固定対象１００に対して固定されているとき、突起１９に指を掛けて引っ張ることで、固定対象１００から吸盤部１１または吸盤１１を含む固定部１０を容易に取り外すことができる。
【００２３】
図２、図３に示すカバー部２０は、環状平面部２１とカップ部２２を有している。
【００２４】
カップ部２２は天面部２３と周面部２４を有しており、カップ部２２の開口部が環状平面部２１の中心穴になっている。カップ部２２は、環状平面部２１側において高さ方向と直交する方向に同軸上になるように形成された第２ａ貫通孔２５と第２ｂ貫通孔２６を有している。
【００２５】
図２、図３の実施形態では、第２ａ貫通孔２５側のみに凹部２７が形成され、凹部２７の内部に第２ａ貫通孔２５が形成されているが、凹部は第２ｂ貫通孔２６側のみに形成されていてもよい。
【００２６】
カップ部２２の天面部２３、周壁部２４、および天面部２３と周壁部２４との境界部分の少なくとも一部には、半径方向外側に突き出された凸部２８が形成されている。環状平面部２１の一部には、切り欠き部２１ａが形成されており、切り欠き部２１ａと半径方向に対向する位置に半球状凸部２１ｂが形成されている。凸部２８と切り欠き部２１ａは、天面部２３の中心を基点としたとき、同じ半径方向に形成されている。なお、半球状凸部２１ｂが形成されなくてもよい。
【００２７】
環状平面部２１の周縁部には、カップ部２２と軸方向反対側に伸ばされた環状壁面部２９が形成されている。環状壁面部２９は、切り欠き部２１ａがある部分から半径方向反対側の前方側壁面部２９ａの幅（ｗ１）が大きく、切り欠き部２１ａを周方向に挟んだ後方側壁面部２９ｂの幅（ｗ２）が小さくなっている（ｗ１＞ｗ２）。
【００２８】
前方側壁面部２９ａ（幅ｗ１）の周方向長さ（Ｌ１）と後方側壁面部２９ｂ（幅ｗ２）の周方向長さ（Ｌ２）は、Ｌ１＜Ｌ２であり、円周長さ（Ｌ１＋Ｌ２）中のＬ１長さは２０〜５０％の長さが好ましく、２５〜４０％の長さがより好ましい。
【００２９】
差し込みピン３０は、軸部３１といずれか一端側のヘッド部３２を有している。軸部３１は、カップ部２２の第２ａ貫通孔２５、立体部１５の第１貫通孔１８、およびカップ部２２の第２ｂ貫通孔２６に貫通させて差し込むことができるものである。
【００３０】
ヘッド部３２は、第２ａ貫通孔２５の内径よりも大きなものであり、凹部２７内にぴったりと嵌め込むことができる形状と大きさのものである。すなわち凹部２７はヘッド部用凹部である。ヘッド部３２は、一部に切り欠き部を形成して、前記切り欠き部に爪、箸、スプーンなどを引っ掛けるようにすることもできるほか、ヘッド部３２の形状はそのままで、凹部２７の形状を変えることで、ヘッド部３２と凹部２７の間に爪などを引っ掛けることができる隙間が形成されるようにすることもできる。
【００３１】
図４は、吸盤部１１にカバー部２０を被せ、差し込みピン３０を差し込んだ状態の固定部１０を示している。カバー部２０の環状平面部２１とカップ部２２は、吸盤部１１の立体部１５に対して、カップ部２２の第２ａ貫通孔２５、立体部１５の第１貫通孔１８の両端側開口部、およびカップ部２２の第２ｂ貫通孔２６が同軸上になるように被せられている。
【００３２】
差し込みピン３０は、軸部３１が第２ａ貫通孔２５側から差し込まれ、第１貫通孔１８および第２ｂ貫通孔２６まで貫通されており、ヘッド部３２が凹部２７内にぴったりと嵌め込まれている。このため、カップ部２２の周面部２４と凹部２７に嵌め込まれたヘッド部３２は面一になっている。
【００３３】
さらに図４に示すとおり、吸盤部１１とカバー部２０が差し込みピン３０で一体化されたとき、カバー部２０の切り欠き部２１ａがある位置に吸着部１２の突起１９が露出された状態になっている。
【００３４】
（ゴミ袋の支持部５０）
図１、図５（ａ）、図６（ａ）に示すように、ゴミ袋の支持部５０は、固定部１０に着脱自在に嵌め込むための環状部５１と、ゴミ袋を支持するための枠体部６０と、環状部５１と枠体部６０を接続する接続部５５を有している。
【００３５】
図５（ａ）、図６（ａ）に示す中心線Ｘは、環状部５１を２分割する線、接続部５５の中間線、および枠体部６０を２分割する線である。
【００３６】
環状部５１、接続部５５および枠体部６０は、図１に示すように板状部材からなるもののほか、棒状部材からなるものでもよいし、板状部材と棒状部材が組み合わされたものでもよい。棒状部材を使用するときは、幅方向の断面形状は円形、四角形を含む多角形などにすることができる。
【００３７】
ゴミ袋の支持部５０は、ポリプロピレンなどの合成樹脂からなるものを使用することができる。ゴミ袋の支持部５０は、全体または一部が着色されていてもよい。ゴミ袋の支持部５０には、カビなどが繁殖することを防止するため、必要に応じて抗菌剤が配合されていてもよい。
【００３８】
図５、図６、図７に示す環状部５１は、上端環状面部５２ａ、周壁部５３、下端環状面部５２ｂを有しており、周壁部５３の内周面５３ａの周方向に離れた２箇所に凹部５６と凹部５７を有している。本発明の実施形態では凹部は２箇所に形成されているが、１箇所のみでもよいし、３箇所でもよい。
上端環状面部５２ａと周壁部５３または内周面５３aとの境界部、下端環状面部５２ｂと周壁部５３または内周面５３aとの境界部は、それぞれ一部または全部が角部を有する形状でもよいし、面取りがされた丸みを帯びた形状であってもよい。
また、本発明の他の部品を構成する二つ以上の面の境界部についても、上記と同様に境界部の一部または全部が角部を有する形状でもよいし、面取りがされた丸みを帯びた形状であってもよい。
【００３９】
凹部５６と凹部５７は、いずれもカップ部２２の凸部２８を嵌め込むことができるものである。凹部５６と凹部５７は、環状部５１の中心を基点Ｏとするとき、基点Ｏと凹部５６の幅方向（周方向）の中間点を通る線と、前記基点と凹部５７の幅方向（周方向）の中間点を通る線がなす角度α（図５（ａ）、図６（ａ）参照）が６０〜１２０°の範囲になることが好ましく、８０〜１００°の範囲になることがより好ましく、例えば角度αは９０°にすることができる。
【００４０】
なお、基点Ｏから凹部のない周壁部５３の内周面５３ａまでの長さＬ１１と、基点Ｏから凹部５６または凹部５７の幅方向（周方向）の中間点までの線の長さ（Ｌ１２）は、Ｌ１１＜Ｌ１２の関係になっている。
【００４１】
図６（ａ）、（ｂ）に示すとおり、環状部５１の下端環状面部５２ｂの接続部５５側の中心線Ｘ上には、半球状凹部５８が形成されている。半球状凹部５８は、環状平面部２１の半球状凸部２１ｂがぴったりと嵌め込まれる形状と大きさのものである。なお、半球状凸部２１ｂが形成されない場合、環状部５１には、半球状凹部５８が形成されなくても良い。
なお、互いに嵌め込まれるようになっているのであれば、半球状凹部５８が半球状凸部５８で、半球状凸部２１ｂが半球状凹部２１ｂであってもよい。
【００４２】
図５、図６に示す接続部５５は、第１接続部５５ａと第２接続部５５ｂの組み合わせからなるものである。接続部５５は、第１接続部５５ａと第２接続部５５ｂとなる２枚の板（図１）または２本の棒を使用することができるほか、第１接続部５５ａと第２接続部５５ｂが合体した１枚の板または１本の棒からなるものを使用することができる。
【００４３】
図５、図６に示す枠体部６０は、接続部５５と一体にされた第１枠体部６１と、第１枠体部６１に連結された第２枠体部６２を有している。
【００４４】
枠体部６０は、図１に示す状態の上面が第１面、反対面が第２面であり、図５は第１面側からの平面図であり、図６は第２面側からの平面図である。枠体部６０は、半楕円形の第１枠体部６１と半楕円形の第２枠体部６２を合わせたもので、全体として平面形状が楕円形のものである。
【００４５】
平面形状が楕円形であると、平面形状が円形、四角形または四角形に近い形状である場合と比べると、ゴミ袋支持部５０にゴミ袋を取り付けたとき、ゴミ袋の側面がシンクの内壁面（図９の１０２）に接触し難くなるので好ましい。平面形状が楕円形であるときの長軸と短軸の比（長軸長さ／短軸長さ）は１．２〜１．９の範囲が好ましく、１．４〜１．７５の範囲がより好ましく、１．５〜１．７の範囲がさらに好ましい。
【００４６】
ここで長軸長さは、図５（ａ）に示す第１枠体部６１における対向する端部間の長軸長さ（厚さも含む）、短軸長さは、第１枠体部６１から第２枠体部６２までの短軸長さ（厚さも含む）であり、前記長軸長さは、組み合わせるゴミ袋の袋口の大きさと関連するものであるが、例えば１６〜２０ｃｍ程度にすることができる。
【００４７】
半楕円形の第１枠体部６１と半楕円形の第２枠体部６２は、第１連結部６３と第２連結部６４において回転自在に連結されている。このように半楕円形の第１枠体部６１の開口部と半楕円形の第２枠体部６２の開口部が二箇所の連結部６３，６４で連結されることで、全体の平面形状が楕円形になるように組み合わされている。
【００４８】
第１連結部６３は、第１枠体部６１の第１端部６１ａの内側に第２枠体部６２の第１端部６２ａが入るように幅方向に重ね合わされた状態で、第１端部６１ａと第１端部６２ａの両方を貫通して結合ピン６３ａ（図８）が取り付けられることで、回転自在にされている。第２連結部６４は、第１枠体部６１の第２端部６１ｂの内側に第２枠体部６２の第２端部６２ｂが入るように幅方向に重ね合わされた状態で、第２端部６１ｂと第２端部６２ｂの両方を貫通して結合ピン６４ａ（図１）が取り付けられることで、回転自在にされている。なお、結合ピン６３ａと６４ａは第２枠体部６２から突出した割りピンでも良い(図１１を参照)。
【００４９】
第１枠体部６１と第２枠体部６２はいずれも半楕円形であるが、図５（ａ）、図６（ａ）に示すように第１枠体部６１の内側に第２枠体部６２が入るように組み合わせられているため、第２枠体部６２の方が少し小さくなっている。このため、図５（ａ）から図５（ｂ）、図６（ａ）から図６（ｂ）に示すように、第２枠体部６２は第１枠体部６１の内側に折り畳めるようになっている。
【００５０】
図６（ａ）、（ｂ）に示すように、第１枠体部６１の第１連結部６３と第２連結部６４の第２面側には、図５（ａ）、図６（ａ）に示すように第１枠体部６１と第２枠体部６２が楕円形になるように展開されているとき、第２枠体部６２が第２面側に折れ曲がることを阻止するための第１ストッパ部６５と第２ストッパ部６６が取り付けられている。
【００５１】
第１ストッパ部６５と第２ストッパ部６６は、第１枠体６１の第２面側の第１端部６１ａ側と第２端部６１ｂ側に固定された、第１連結部６３と第２連結部６４を覆うことができる平板である。枠体部６０の第１面側が図５（ａ）に示す状態であるとき、枠体部６０の第２面側は図６（ａ）に示す状態になっており、第１枠体部６１に固定された第１ストッパ部６５と第２ストッパ部６６により第２枠体部６２が支持されていることで、第２枠体部６２が第２面側に折れ曲がることが阻止されて図５（ａ）に示す状態が維持されている。
【００５２】
図８に示すように、第１連結部６３と第１枠体部６１の第１先端部６１ａの間の第２枠体部６２側には、半球状突起６３ｂが形成されており、半球状突起６３ｂの球面先端部は第１枠体部６１に当接されている。第２連結部６４と第１枠体部６１の第２先端部６１ｂの間の第２枠体部６２側にも、図８と同様にして半球状突起が形成されており、前記半球状突起の球面先端部は第１枠体部６１に当接されている。
なお、別の態様として、図１１および図１２に示すように、半球状突起６３ｂを第２枠体部６２の第２端部６２ｂ側の底部側に形成し、図１に示すように第２枠体部６２が折り畳まれていない状態では、図１２に示すように半球状突起６３ｂが第２ストッパ部６６と当接するようにしても良い。同様に、半球状突起６３ｂと相対する側の半球状突起を、第２枠体部６２の第１端部６２ａ側の底部側に形成し、図１に示すように第２枠体部６２が折り畳まれていない状態で第１ストッパ部６５と当接するようにしても良い。
【００５３】
これらの二つの半球状突起の作用によって、図５（ａ）から図５（ｂ）になるように折り畳んだり、および図５（ｂ）から図５（ａ）の状態になるように展開したりするときには、円滑に動作できるようになっている。
【００５４】
第２枠体部６２の楕円弧の周方向中間位置（接続部５５からの長さ方向への延長位置）には、突起部６７が形成されている。図５（ｂ）、図６（ｂ）に示すように第２枠体部６２が第１枠体部６１の内側に入るように折り畳まれたとき、突起部６７が第１枠体部６１に当接されるため、それ以上回転されないようになっている。
【００５５】
ゴミ袋支持部５０は、図５（ａ）、図６（ａ）の状態に固定されているものでもよいが、図５（ｂ）、図６（ｂ）に示すように折り畳めるものが好ましい。
【００５６】
ゴミ袋支持部５０が図５（ｂ）、図６（ｂ）に示すように折り畳めるものであるときには、折り畳めないものと比べると、使用者の立場では、生ゴミがゴミ袋内に一杯になっていないときには、折り畳んでゴミ袋の袋口を閉じることによって、小バエの袋内への進入を防ぐこと、ゴミを隠せるので美観を損なわないことなどの利点がある。また、製造者・販売者の立場では、商品包装の際の袋の幅を小さくできることから、包装袋材料の使用量を削減できること、一つの段ボール箱に詰め込める量が増加することにより運搬費用を削減できること、小売店における商品陳列時のスペースも小さくできることなどの点で優れている。
【００５７】
図１に示すゴミ袋の保持具１は、固定部１０を水平面に対して取り付ける実施形態であるが、固定部１０を前記水平面に対して垂直面に取り付ける実施形態のゴミ袋の保持具１Ａについて説明する。図９に示すゴミ袋の保持具１Ａは、ゴミ袋の支持部５０のうち、接続部５５Ａが異なっているほかは、図１のゴミ袋の保持具１と同じものである。
【００５８】
図９に示すゴミ袋の保持具１Ａは、接続部５５Ａが直角（角度α１＝９０°）に折れ曲がっているため、例えばシンクの壁面１０２に固定された固定部１０にゴミ袋の保持具１Ａを取り付けた場合でも、図１の状態と同様に枠体部６０はシンク底面１０１と平行になる。角度α１は、シンクを含む台所周りの状態に応じて９０°よりも大きくしたり、９０°よりも小さくしたりすることができる。
【００５９】
図１に示すゴミ袋の保持具１のゴミ袋の支持部５０は、環状部５１の半径方向、第１接続部５５ａと第２接続部５５ｂの中間位置、および枠体部６０の短軸方向が同軸方向になっているため、環状部５１、接続部５５および枠体部６０は同一面上にある。図９に示すゴミ袋の保持具１Ａのゴミ袋の支持部５０は、接続部５５Ａが折れ曲がっていることによって、環状部５１の半径方向と枠体部６０の短軸方向が互いに異なる方向（角度が９０°異なる方向）になっているため、環状部５１と枠体部６０が互いに異なる面上にある。
【００６０】
＜ゴミ袋の保持具の使用方法＞
図１〜図４、図１０（ａ）、（ｂ）によって、本発明のゴミ袋の保持具１の使用方法を説明する。
【００６１】
（ゴミ袋の保持具１を取り付けるとき）
図４に示す状態の固定部１０であればそのまま使用することができるが、例えば、図２の状態に分解して洗浄したようなときには、再度図４に示す状態になるように手順１により組み立てる。手順１では、カバー部２０のカップ部２２の第２ａ貫通孔２５、吸盤部１１の立体部１５の第１貫通孔１８の両端側開口部、およびカバー部２０のカップ部２２の第２ｂ貫通孔２６が同軸上になるようにして、吸盤部１１にカバー部２０を被せる。
【００６２】
次に、第２ａ貫通孔２５、第１貫通孔１８および第２ｂ貫通孔２６に貫通させて差し込みピン３０の軸部３１を差し込んで一体化する（図４に示す状態）。このとき、差し込みピン３０は、ヘッド部３２が凹部２７にぴったりと嵌め込まれるようにする。図４に示す状態では、カバー部２０の環状壁面部２９は、吸盤部１１の非吸着面１４には接触していない。
【００６３】
手順２では、吸盤部１１を利用して固定部１０を固定対象１００に固定する。図４に示す固定部１０のカップ部２２を指でつまんで固定対象に押しつけると、吸着部１２の吸着面１３が固定対象１００に対して吸い付くことで固定される。
【００６４】
このとき、環状壁面部２９の前方側壁面部２９ａ（幅ｗ１）側がシンク（シンク底面１０１）側を向き、切り欠き部２１ａ、凸部２８および突起１９がある環状壁面部２９の後方側壁面部２９ｂ（幅ｗ２）が反対側になるように取り付ける。図１に示すように固定部１０を固定対象１００に対して固定した状態では、カバー部２０の環状平面部２１が吸着部１２の非吸着面１４と接触して、吸着部１２を上から押し潰した状態になっている。
【００６５】
さらに環状壁面部２９は吸着部１２の外側を包囲しており、前方側壁面部２９ａ（幅ｗ１）側は固定対象１００に当接されて吸着部１２が覆われた状態になっているが、後方側壁面部２９ｂ（幅ｗ２）側は固定対象１００との間に隙間があるため、吸着部１２の一部が露出された状態になっている。前方側壁面部２９ａ（幅ｗ１）は使用時にはシンク側になり、後方側壁面部２９ｂ（幅ｗ２）は使用時にはシンクと反対側になる。
【００６６】
このため、ゴミ袋の支持部５０にゴミ袋を取り付けて使用する場合、ゴミ量が多くなって図１の第２枠体部６２の突起部６７側に大きな負荷がかかることになったときには、固定対象１００に当接されている前方側壁面部２９ａ（幅ｗ１）がストッパ機能を発揮するため、ゴミ袋の重さで固定部１０の吸盤部１１が剥がれることが防止される。
【００６７】
また、調理時においてシンクから水が飛び散ったときでも、前方側壁面部２９ａ（幅ｗ１）側の吸着部１２には水が掛かりにくく、固定対象１００と吸着部１２の間に水が入り込みにくくなっているため、吸着部１２の吸着力が低下しにくい。
【００６８】
また、上記したとおり、円周長さ（Ｌ１＋Ｌ２）中のＬ１長さ（幅ｗ１部分の長さ）を２０〜５０％の長さにすると上記した効果が高められるので好ましい。
【００６９】
手順３では、固定部１０にゴミ袋支持部５０の環状部５１を嵌め込んだあと固定して、図１に示す状態にする。固定部１０にゴミ袋支持部５０の環状部５１を嵌め込むとき、図１０（ａ）に示すようにカバー部２０のカップ部２２が有している凸部２８と環状部５１の凹部５６が同じ位置になるように嵌め込む。このとき、凸部２８を凹部５７に嵌め込んでもよい。
【００７０】
その後、図１０（ａ）に示す状態から、ゴミ袋支持部５０の環状部５１の凹部５６と凹部５７の中間位置が固定部１０の切り欠き部２１ａの位置と同じ位置になるまで回転させて停止させる（図１０（ｂ）の状態）。
【００７１】
図１０（ｂ）に示す状態のとき、環状部５１の凹部のない周壁部５３の内周面５３ａ、環状部５１の上端環状面部５２ａ、および内周面５３ａと上端環状面部５２ａの境界部のいずれか１箇所、２箇所または３箇所に凸部２８が当接された状態になっていればよい。
また図１０（ｂ）に示す状態のとき、カバー部２０の環状平面部２１の半球状凸部２１ｂ(存在する場合)が、環状部５１の下端環状面部５２ｂの半球状凹部５８に嵌め込まれている(存在する場合)。
【００７２】
図５（ａ）および図６（ａ）にて説明したとおり、基点Ｏから凹部のない周壁部５３の内表面までの長さＬ１１と、基点Ｏから凹部５６または凹部５７の幅方向（周方向）の中間点までの線の長さ（Ｌ１２）は、Ｌ１１＜Ｌ１２の関係になっているため、凸部２８が環状部５１の周壁部５３の内周面５３ａ、環状部５１の上端環状面部５２ａ、および内周面５３ａと上端環状面部５２ａの境界部のいずれか１箇所、２箇所または３箇所を強く押した状態（互いに圧接された状態）になっており、図１０（ｂ）に示す状態が維持される。
【００７３】
なお、ゴミ袋の保持具１にゴミ袋を取り付けるときは、図５（ａ）、図１０（ａ）または図１０（ｂ）に示す状態で取り付けてもよい。
【００７４】
（ゴミ袋の保持具１を取り外すとき）
手順４では、図１０（ｂ）の状態から、ゴミ袋支持部５０の環状部５１の凹部５６または凹部５７がカップ部２０の凸部２８に嵌め込まれるまで回転させて、図１０（ａ）の状態にする。
その後、固定部１０からゴミ袋支持部５０を外す。
【００７５】
手順５では、固定部１０に差し込まれた差し込みピン３０の軸部３１の端面３１ａ（図２）を押しながら差し込みピン３０を引き抜く。また、ヘッド部３２に切り欠きが形成されていれば、前記切り欠きに爪を引っ掛けて引っ張ることで差し込みピン３０を引き抜くこともできる。差し込みピン３０を引き抜くときは、例えば菜箸などで軸部３１の端面３１ａを軽く押すことで簡単に引き抜くことができる。
【００７６】
手順６では、吸盤部１１の突起１９を利用して吸盤部１１とカバー部２０を固定対象１００から外す。吸盤部１１を固定対象１００から外すときは、指を突起１９に軽く引っかけた状態で引けば簡単に外すことができる。
【００７７】
なお、手順５と手順６の順序は逆でもよいし、図１に示す状態で先に固定部１０を固定対象１００から外してもよい。
【００７８】
このように本発明ゴミ袋の保持具１は、固定部１０とゴミ袋支持部５０を簡単に取り外すことができ、さらに固定部１０は吸盤部１１、カバー部２０、差し込みピン３０に簡単に分離することができる。このため、使用時においてゴミ袋と接触するゴミ袋支持部５０を含む全ての部品の洗浄が容易であり、ゴミ袋支持部５０は、図５（ａ）に示す状態にすれば環状部５１または枠体部６０をフックなどに引っかけて自然乾燥させることもできる。
【００７９】
このように本発明ゴミ袋の保持具１は取り付けと取り外しが容易であり、さらに各部品の分解も容易であるため、部品ごとの洗浄も容易になることから、台所をより衛生的にすることができる。
【産業上の利用可能性】
【００８０】
本発明のゴミ袋の保持具は、特許第４８４２１０１号公報に記載のゴミ容器と組み合わせて使用することができ、台所のシンク周りなどに取り付けて使用するためのゴミ袋の保持具として利用できる。
【符号の説明】
【００８１】
１  ゴミ袋の保持具
１０  固定部
１１  吸盤部
２０  カバー部
３０  差し込みピン
５０  ゴミ袋支持部
５１  環状部
５５  接続部
６０  枠体部
６１  第１枠体部
６２  第２枠体部
１００  固定対象
１０１  シンク底面
１０２  シンク壁面
【図１】
2017206386.tif 000003
【図２】
2017206386.tif 000004
【図３】
2017206386.tif 000005
【図４】
2017206386.tif 000006
【図５】
2017206386.tif 000007
【図６】
2017206386.tif 000008
【図７】
2017206386.tif 000009
【図８】
2017206386.tif 000010
【図９】
2017206386.tif 000011
【図１０】
2017206386.tif 000012
【図１１】
2017206386.tif 000013
【図１２】
2017206386.tif 000014